(57)【特許請求の範囲】
【請求項１】
通常モード又は省電力モードで動作する画像形成装置であって、
ユーザインタフェースと、
前記省電力モードで電力供給を行う第１の供給手段と、
前記通常モードで電力供給を行い前記省電力モードで電力供給を行わない第２の供給手段と、
前記第２の供給手段の異常を検出する検出手段と、
前記検出手段が前記第２の供給手段の異常を検出していない場合に、前記第２の供給手段から前記ユーザインタフェースへ電力供給を行うように制御し、前記検出手段が前記第２の供給手段の異常を検出した場合に、前記第１の供給手段から前記ユーザインタフェースへ電力供給を開始するように制御する制御手段とを有し、
前記制御手段は、前記検出手段が前記第２の供給手段の異常を検出した場合に、前記第１の供給手段から一部のデバイスへの電力供給を停止するように制御し、
前記一部のデバイスは、主記憶手段と、省電力モードからの復帰要因を検出する省電力モード復帰要因検出手段とのうち少なくとも何れか１つ以上を含むことを特徴とする画像形成装置。
【請求項２】
前記制御手段は、前記検出手段が前記第２の供給手段の異常を検出した場合に、前記第２の供給手段からの電力供給を停止するように制御することを特徴とする請求項１に記載の画像形成装置。
【請求項３】
前記ユーザインタフェースは、前記検出手段が前記第２の供給手段の異常を検出した場合に、当該第２の供給手段の異常をユーザに通知することを特徴とする請求項１又は２に記載の画像形成装置。
【請求項４】
外部に情報を送信可能な送信手段を有し、
前記送信手段は、前記第１の供給手段を電力供給元とし、前記検出手段により前記第２の供給手段の異常が検出された場合にも前記第１の供給手段から電力供給が維持されるものであり、
前記制御手段は、前記検出手段により前記第２の供給手段の異常が検出された場合、前記送信手段を用いて当該画像形成装置のエラー情報を外部に送信することを特徴とする請求項１乃至３のいずれか１項に記載の画像形成装置。
【請求項５】
通常モード又は省電力モードで動作する画像形成装置であって、
ユーザインタフェースと、
前記省電力モードで電力供給を行う第１の供給手段と、
前記通常モードで電力供給を行い前記省電力モードで電力供給を行わない第２の供給手段と、
前記第２の供給手段の異常を検出する検出手段と、
前記検出手段が前記第２の供給手段の異常を検出していない場合に、前記第２の供給手段から前記ユーザインタフェースへ電力供給を行うように制御し、前記検出手段が前記第２の供給手段の異常を検出した場合に、前記第１の供給手段から前記ユーザインタフェースへ電力供給を開始するように制御する制御手段と、
外部に情報を送信可能な送信手段とを有し、
前記送信手段は、前記第２の供給手段を電力供給元とするものであり、
前記制御手段は、前記検出手段により前記第２の供給手段の異常が検出された場合、前記送信手段を用いて当該画像形成装置のエラー情報を外部に送信した後に、前記第２の供給手段からの電力供給を遮断することを特徴とする画像形成装置。
【請求項６】
通常モード又は省電力モードで動作し、ユーザインタフェースと、前記省電力モードで電力供給を行う第１の供給手段と、前記通常モードで電力供給を行い前記省電力モードで電力供給を行わない第２の供給手段と、を有する画像形成装置の制御方法であって、
前記第２の供給手段の異常を検出する検出工程と、
前記検出工程が前記第２の供給手段の異常を検出していない場合に、前記第２の供給手段から前記ユーザインタフェースへ電力供給を行うように制御し、前記検出工程が前記第２の供給手段の異常を検出した場合に、前記第１の供給手段から前記ユーザインタフェースへ電力供給を開始するように制御する制御工程とを有し、
前記制御工程では、前記検出工程で前記第２の供給手段の異常を検出した場合に、前記第１の供給手段から一部のデバイスへの電力供給を停止するように制御し、
前記一部のデバイスは、主記憶手段と、省電力モードからの復帰要因を検出する省電力モード復帰要因検出手段とのうち少なくとも何れか１つ以上を含むことを特徴とする制御方法。
【請求項７】
通常モード又は省電力モードで動作し、ユーザインタフェースと、前記省電力モードで電力供給を行う第１の供給手段と、前記通常モードで電力供給を行い前記省電力モードで電力供給を行わない第２の供給手段と、を有する画像形成装置の制御方法であって、
前記第２の供給手段の異常を検出する検出工程と、
前記検出工程が前記第２の供給手段の異常を検出していない場合に、前記第２の供給手段から前記ユーザインタフェースへ電力供給を行うように制御し、前記検出工程が前記第２の供給手段の異常を検出した場合に、前記第１の供給手段から前記ユーザインタフェースへ電力供給を開始するように制御する制御工程と、
外部に情報を送信可能な送信工程とを有し、
前記送信工程では、前記第２の供給手段を電力供給元とするものであり、
前記制御手段では、前記検出工程で前記第２の供給手段の異常が検出された場合、前記送信手段を用いて当該画像形成装置のエラー情報を外部に送信した後に、前記第２の供給手段からの電力供給を遮断することを特徴とする制御方法。
【請求項８】
通常モード又は省電力モードで動作し、ユーザインタフェースと、前記省電力モードで電力供給を行う第１の供給手段と、前記通常モードで電力供給を行い前記省電力モードで電力供給を行わない第２の供給手段と、を有する画像形成装置に設けられたプロセッサを、
前記第２の供給手段の異常を検出する検出手段、
前記検出手段が前記第２の供給手段の異常を検出していない場合に、前記第２の供給手段から前記ユーザインタフェースへ電力供給を行うように制御し、前記検出手段が前記第２の供給手段の異常を検出した場合に、前記第１の供給手段から前記ユーザインタフェースへ電力供給を開始するように制御する制御手段として機能させるためのプログラムであり、
前記制御手段は、前記検出手段が前記第２の供給手段の異常を検出した場合に、前記第１の供給手段から一部のデバイスへの電力供給を停止するように制御し、
前記一部のデバイスは、主記憶手段と、省電力モードからの復帰要因を検出する省電力モード復帰要因検出手段とのうち少なくとも何れか１つ以上を含むことを特徴とするプログラム。
【請求項９】
通常モード又は省電力モードで動作し、ユーザインタフェースと、前記省電力モードで電力供給を行う第１の供給手段と、前記通常モードで電力供給を行い前記省電力モードで電力供給を行わない第２の供給手段と、を有する画像形成装置に設けられたプロセッサを、
前記第２の供給手段の異常を検出する検出手段、
前記検出手段が前記第２の供給手段の異常を検出していない場合に、前記第２の供給手段から前記ユーザインタフェースへ電力供給を行うように制御し、前記検出手段が前記第２の供給手段の異常を検出した場合に、前記第１の供給手段から前記ユーザインタフェースへ電力供給を開始するように制御する制御手段、
外部に情報を送信可能な送信手段として機能させるプログラムであり、
前記送信手段は、前記第２の供給手段を電力供給元とするものであり、
前記制御手段は、前記検出手段により前記第２の供給手段の異常が検出された場合、前記送信手段を用いて当該画像形成装置のエラー情報を外部に送信した後に、前記第２の供給手段からの電力供給を遮断することを特徴とするプログラム。
【発明の詳細な説明】
【技術分野】
【０００１】
本発明は、画像形成装置のエラーの表示方法に関するもので、特に電源異常時のエラー制御に関するものである。
【背景技術】
【０００２】
近年、画像形成装置の消費電力も増加の傾向にあり、動作時の消費電力を落とすだけでなく、省電力モード状態においても極力消費電力を落として全体の消費エネルギーを小さくすることが求められている。
【０００３】
特許文献１、２では、省電力モード用の電源を用意し、省電力モード時は主記憶装置にのみ電力供給し、主記憶装置内にメインプログラム及び必要なデータのみを保持しておくことで、省電力モード時の消費電力を抑えつつ、高速に復帰可能にしている。
【０００４】
一方、機能の増加、半導体の高速化などによって画像形成装置のスタンバイ、動作時に必要な電力はますます増加し、画像形成装置を通常動作させる電源（メイン電源）の負荷は年々大きくなっており、画像形成装置の機能はメイン電源によって成り立っている。
【０００５】
仮にメイン電源に異常が生じた場合には、メイン電源の異常を検出して不揮発性メモリに異常情報を格納し、次回移行の電源がオンしないように不揮発性メモリから制御する技術が提案されている。（特許文献３）
また、同様に補助用のメイン電源に切替えて動作を継続する技術も提案されている。
【先行技術文献】
【特許文献】
【０００６】
【特許文献１】特開２００５−７８１９７号公報
【特許文献２】特開２００７−２５８８２号公報
【特許文献３】特開２００２−３１８６２４号公報
【発明の概要】
【発明が解決しようとする課題】
【０００７】
しかしながら、従来のユーザインタフェース（ＵＩ）がメイン電源から電力供給を受ける構成において、メイン電源に異常が発生した場合には、ＵＩが使用できなくなってしまい、エラーを判別する手段がなく、ユーザは装置の状態を把握できなくなってしまう。このため、故障個所を判定することが困難であった。また、ＵＩが常にサブ電源から電力供給を受ける構成とすると、サブ電源の電力供給能力を大きくしければならず、高コストとなってしまう。また、補助のメイン電源を用意した場合には、さらに高コストになってしまうという。
【０００８】
本発明は、上記の問題点を解決するためになされたものである。本発明の目的は、メイン電源に異常が発生した場合でもエラー情報を把握可能な画像形成装置を、サブ電源の電力供給能力を大きくすることなく実現する仕組みを提供することである。
【課題を解決するための手段】
【０００９】
本発明は、通常モード又は省電力モードで動作する画像形成装置であって、ユーザインタフェースと、前記省電力モードで電力供給を行う第１の供給手段と、前記通常モードで電力供給を行い前記省電力モードで電力供給を行わない第２の供給手段と、前記第２の供給手段の異常を検出する検出手段と、前記検出手段が前記第２の供給手段の異常を検出していない場合に、前記第２の供給手段から前記ユーザインタフェースへ電力供給を行うように制御し、前記検出手段が前記第２の供給手段の異常を検出した場合に、前記第１の供給手段から前記ユーザインタフェースへ電力供給を開始するように制御する制御手段とを有し、前記制御手段は、前記検出手段が前記第２の供給手段の異常を検出した場合に、前記第１の供給手段から一部のデバイスへの電力供給を停止するように制御し、前記一部のデバイスは、主記憶手段と、省電力モードからの復帰要因を検出する省電力モード復帰要因検出手段とのうち少なくとも何れか１つ以上を含むことを特徴とする。
【発明の効果】
【００１０】
本発明によれば、メイン電源としての第２電力供給手段に異常が発生した場合でもエラー情報を把握可能な画像形成装置を、サブ電源としての第１電力供給手段の電力供給能力を大きくすることなく実現することができる。
【図面の簡単な説明】
【００１１】
【図１】本発明の一実施例を示す画像形成装置の構成の一例を示すブロック図である。
【図２】電源部３５０の構成を示すブロック図である。
【図３】コントローラ制御部４００の構成の一例を示すブロック図である。
【図４】画像形成装置の省電力モードを実現するためのコントローラ制御部４００内の電力供給状態を示すブロック図である。
【図５】実施例１の画像形成装置のメイン電源３５３が異常状態になった場合のコントローラ制御部４００の電力供給状態を示すブロック図である。
【図６】実施例１の画像形成装置の電源系統の一例を示す電源系統図である。
【図７】実施例１の画像形成装置の電源異常を検出する起動処理の一例を示すフローチャートである。
【図８】実施例１の画像形成装置がスタンバイ又は動作中の電源異常を検出する処理の一例を示すフローチャートである。
【図９】実施例２の画像形成装置のメイン電源３５３が異常状態になった場合のコントローラ制御部４００の電力供給状態を示すブロック図である。
【図１０】実施例２の画像形成装置の電源系統の一例を示す電源系統図である。
【図１１】実施例２の画像形成装置の電源異常を検出する起動処理の一例を示すフローチャートである。
【図１２】実施例２の画像形成装置がスタンバイ又は動作中の電源異常を検出する処理の一例を示すフローチャートである。
【発明を実施するための形態】
【００１２】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【実施例１】
【００１３】
図１は、本発明の一実施例を示す画像形成装置の構成の一例を示すブロック図である。
本実施例の画像形成装置は、イメージリーダ部２００、プリンタ部３００を有する画像形成装置本体、折り装置５００、及び、フィニッシャ６００を有する。また、イメージリーダ部２００には、原稿搬送装置１００が装着されている。
【００１４】
原稿搬送装置１００は、原稿トレイ上にセットされた原稿を先頭頁から順に１枚ずつ給紙し、イメージリーダ部２００の原稿台ガラスの上へと搬送する。イメージリーダ部２００は、原稿台ガラス上を搬送される原稿の画像を読み取る。イメージリーダ部２００により読取られた原稿の画像データは、画像処理されてコントローラ制御部４００内のハードディスク４０７（図３参照）に格納されるとともに、プリンタ制御部３０１を介してプリンタ部３００に送られる。プリンタ部３００は、この画像データに基づいてシートに印刷処理を行い排出する。
【００１５】
プリンタ部３００から排出されたシートは、折り装置５００に送り込まれる。折り装置５００は、シートをＺ折りに折りたたむ処理を行う。なお、折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。
【００１６】
コントローラ制御部４００は、イメージリーダ部２００、プリンタ部３００、折り装置５００、及び、フィニッシャ６００等と通信を行い、画像形成装置全体の制御を司る。
電源部３５０は、画像形成装置全体の電源を構成し、コントローラ制御部４００の制御によりイメージリーダ部２００、プリンタ部３００、折り装置５００、及び、フィニッシャ６００に電力を供給する。なお、折り装置５００及びフィニッシャ６００には、独立して電源を持たせてもよい。
【００１７】
原稿搬送装置制御部１０１は、コントローラ制御部４００からの指示により原稿搬送装置１００を制御する。イメージリーダ制御部２０１は、コントローラ制御部４００からの指示によりイメージリーダ部２００を制御する。
【００１８】
コントローラ制御部４００は、操作部（ユーザインタフェース）８００の設定や外部コンピュータ４５３からの指示に基づいて原稿搬送装置制御部１０１や、イメージリーダ制御部２０１と通信を行い入力される原稿の画像データを取得する。
【００１９】
また、コントローラ制御部４００は、プリンタ部３００を制御するプリンタ制御部３０１と通信を行い、画像データをシートに印刷する。さらに、コントローラ制御部４００は、折り装置５００を制御する折り装置制御部５０１、フィニッシャ６００を制御するフィニッシャ制御部６０１と通信を行い、印刷されたシートにステイプルやパンチ穴といった所望の出力を実現する。
【００２０】
外部Ｉ／Ｆ４５１は、外部コンピュータ４５３と接続するためのインターフェースである。外部Ｉ／Ｆ４５１は、例えばネットワークやＵＳＢ等の外部バス４５２を介して外部コンピュータ４５３からのプリントデータを画像データに展開して出力したり、ハードディスク４０７（図３）内の画像データを外部コンピュータ４５３に送信可能である。
コントローラ制御部４００は、各省電力モードを実現するために、電源部３５０の電源制御及び電源部３５０からの異常を検出する。
【００２１】
図２は、電源部３５０の構成を示すブロック図である。
図２に示すように、電源部３５０は、ＡＣ電源３５１よりＤＣ電源を作り出して、各制御部に電力を供給する。電源部３５０は、省エネ電源３５２、メイン電源３５３、駆動系電源３５４を有する。
【００２２】
省エネ電源３５２は、省電力モードでもコントローラ制御部４００に電力を供給する。即ち、省エネ電源３５２は、省電力モード及び通常モードの双方のモードで電力供給を行う。メイン電源３５３は、コントローラ制御部４００、原稿搬送装置制御部１０１、イメージリーダ制御部２０１、プリンタ制御部３０１、折り装置制御部５０１、フィニッシャ制御部６０１、操作部８００内の各制御部における制御を司るＣＰＵやＲＡＭ等に電力を供給する。駆動系電源３５４は、原稿搬送装置制御部１０１、イメージリーダ制御部２０１、プリンタ制御部３０１、折り装置制御部５０１、フィニッシャ制御部６０１等の各制御部に接続される不図示のモータ、ソレノイド、画像形成に必要な定着部等に電力を供給する。なお、省電力モードではメイン電源３５３及び駆動系電源３５４の電力供給は遮断される。
即ち、本実施例の画像形成装置の電源は、省電力モードでも電力供給を行う第１電力供給部（省エネ電源３５２）と、省電力モードでは電力供給が遮断される第２電力供給部（メイン電源３５３、駆動系電源３５４）とを有する。
【００２３】
電源異常検出部３５６は、各電源（省エネ電源３５２、メイン電源３５３、駆動系電源３５４）の異常を監視し、異常があった場合には、コントローラ制御部４００内の電源制御部４０９（図３）に通知する。コントローラ制御部４００内の電源制御部４０９は、リレー３５５のＯＮ／ＯＦＦを制御する。電源制御部４０９は、通常モードの場合に、リレー３５５をＯＮにする。リレー３５５がＯＮの状態では、メイン電源３５３及び駆動系電源３５４へ電力が供給される。また、電源制御部４０９は、電源異常検出部３５６から異常があった旨の通知を受けた場合や、省電力モード時には、リレー３５５をＯＦＦにする。リレー３５５がＯＦＦされると、メイン電源３５３及び駆動系電源３５４への電力供給が切断される。
【００２４】
図３は、コントローラ制御部４００の構成の一例を示すブロック図である。
コントローラ制御部４００では、ＣＰＵ４０１、ＲＯＭ４０２、ＲＡＭ４０３、操作部制御部４０５、外部Ｉ／Ｆ制御部４０６、ハードディスク（以下、ＨＤＤ）４０７、電源制御部４０９、デバイス制御部４０８等が、バスブリッジ４０４を介して接続されている。
【００２５】
ＣＰＵ４０１は、バスブリッジ４０４を介してＲＯＭ４０２、ＲＡＭ４０３、操作部制御部４０５、外部Ｉ／Ｆ制御部４０６、ＨＤＤ４０７、電源制御部４０９、デバイス制御部４０８等と通信可能である。ＣＰＵ４０１は、ＲＯＭ４０２やＨＤＤ４０７等に格納された各種プログラムを実行可能である。
【００２６】
ＲＯＭ４０２は、ＣＰＵ４０１の初期起動プログラムを格納している。ＲＡＭ４０３は、ＣＰＵ４０１の制御データを一時的に保持し、制御に伴う演算の作業領域として用いられる。デバイス制御部４０８は、原稿搬送装置制御部１０１、イメージリーダ制御部２０１、プリンタ制御部３０１、折り装置制御部５０１、フィニッシャ制御部６０１と接続され、各制御部の制御を司る。
【００２７】
操作部制御部４０５は、操作部８００を制御する。外部Ｉ／Ｆ制御部４０６は、ネットワークとの接続を制御する。ＨＤＤ４０７は、メインプログラム、アプリケーションプログラムの格納や、取得した画像データ、後述する操作部８００で編集した画像の保存用に使用される。
【００２８】
電源制御部４０９は、画像形成装置全体の電源を制御するものであり、電源部３５０と接続される。原稿搬送装置制御部１０１、イメージリーダ制御部２０１、プリンタ制御部３０１、折り装置制御部５０１、フィニッシャ制御部６０１への電源制御、及び、省電力モードへの電源制御は、電源制御部４０９によって実現される。また、電源制御部４０９は、電源部３５０からの異常検出の通知を受けた場合にも電源の制御を行う。
【００２９】
コントローラ制御部４００は、省電力モードからの復帰要因（省電力モードから画像形成装置が動作可能なスタンバイ状態に移行するのに必要な要因）を検出する省電力モード復帰要因検出部４１０を有する。なお、省電力モードからの復帰要因とは、例えば、操作部８００のメインスイッチキー（以下、メインＳＷキー）が押下されること、ネットワークからプリントのジョブが投入されること、図示しないＦＡＸからの受信が投入されること等である。省電力モード復帰要因検出部４１０は、画像形成装置が省電力モードの場合に、省電力モードからの復帰要因を検出すると、その旨を電源制御部４０９に伝える。この通知に応じて、電源制御部４０９は、電源部３５０のリレー３５５をＯＮにすることにより、画像形成装置を省電力モードから復帰させる。
【００３０】
図４は、画像形成装置の省電力モードを実現するためのコントローラ制御部４００内の電力供給状態を示すブロック図である。
コントローラ制御部４００は、省電力モードでは、主記憶装置（メインメモリ）としてのＲＡＭ４０３に電力が供給され、主記憶装置内にＣＰＵ４０１の設定、メインプログラム、及び必要なデータのみが保持される構成となっている。そして、省電力モードからの復帰要因が検出されると、コントローラ制御部４００の各部に電力が供給され起動される構成となっている。
【００３１】
なお、コントローラ制御部４００は、省エネ電源３５２、メイン電源３５３より電力が供給される。省エネ電源３５２からは、省電力モード時に必要な電力のみがコントローラ制御部４００に供給される。省エネ電源３５２が電力を供給するのは、ＲＡＭ４０３、外部Ｉ／Ｆ制御部４０６、電源制御部４０９、省電力モード復帰要因検出部４１０、及び、復帰要因である操作部８００のメインＳＷキー（不図示）、ＦＡＸ用受信回路（不図示）等である。即ち、省エネ電源３５２は、図４にて網掛けしていない部分等に電力を供給する。
【００３２】
一方、図４で網掛けしたＣＰＵ４０１、ＲＯＭ４０２、バスブリッジ４０４、操作部制御部４０５、ＨＤＤ４０７、デバイス制御部４０８、及び操作部８００（メインＳＷ以外）は、メイン電源３５３より電力供給され、省エネ電源３５２からは電力供給されない。このような構成により、コントローラ制御部４００は、省電力モードでは、コントローラ制御部４００が最も電力を必要としない省電力状態（省エネルギー状態）を実現可能である。
【００３３】
そして、省電力モードからの復帰時には、電源制御部４０９から電源部３５０内のリレー３５５をＯＮすることで、コントローラ制御部４００内の各部に電力が供給される。
なお、操作部８００には、図示しない省エネキーが設けられている。この省エネキーは、省電力モードへの移行、復帰を行うために使用される。本実施例では、操作部８００のメインＳＷキーが、省エネキーに相当する。
【００３４】
以下、本発明の画像形成装置の電源異常時のエラー表示処理について説明する。
メイン電源３５３が異常状態になり電力を供給できない、又は、電源を冷却するＦＡＮなどに異常が生じた場合には、コントローラ制御部４００内のＣＰＵ４０１を動作させることができないため、画像形成装置として動作することはできなくなる。
【００３５】
電源制御部４０９は、電源部３５０内の電源異常検出部３５６からメイン電源３５３の異常を検出した旨の通知を受けると、リレー３５５をオフするとともに、コントローラ制御部４００内の省エネ電源３５２から供給される電力を図５に示すように切替える。
【００３６】
図５は、実施例１の画像形成装置のメイン電源３５３が異常状態になった場合のコントローラ制御部４００の電力供給状態を示すブロック図である。
電源制御部４０９は、メイン電源３５３に異常が検出された場合、図５の網掛けした個所には電力供給を行わず、電源制御部４０９、バスブリッジ４０４、操作部制御部４０５、及び、操作部８００の表示部９００（図６）にのみ電力供給を行うように制御する。なお、操作部８００については、表示部９００にのみ電力供給を行うのではなく、操作部８００全体に電力供給を行うように構成してもよい。
【００３７】
メイン電源３５３が異常状態になると、電源制御部４０９は、表示部９００に、例えば「エラー！メイン電源異常です。サービスマンに連絡して下さい。」等のエラー表示を行う。なお、エラーコード等も表示してもよい。
【００３８】
図６は、実施例１の画像形成装置の電源系統の一例を示す電源系統図である。
省エネ電源３５２から電力を常に供給するのは、電源異常検出部３５６、及び、電源制御部４０９である。省電力モードを実現するため、省エネ電源３５２から電力を供給するのは、コントローラ制御４００内の一部の特定デバイス（ＲＡＭ４０３、外部Ｉ／Ｆ制御部４０６、省電力モード復帰要因検出部４１０）である。これら特定デバイスは、スイッチ４６０にて省エネ電源３５２と切断又は接続可能に構成されている。このスイッチ４６０の切替制御は、電源制御部４０９によって行う。
【００３９】
バスブリッジ４０４、操作部制御部４０５、表示部９００の電力供給元として、電源セレクタ４６１により、省エネ電源３５２又はメイン電源３５３を選択（切替）できるように構成されている。なお、通常（電源異常検出部によりメイン電源異常が検出されていないときは）、バスブリッジ４０４、操作部制御部４０５、表示部９００への電力供給は、メイン電源３５３から行われる。しかし、電源セレクタ４６１を切り替えることにより、電力供給元がメイン電源３５３から省エネ電源３５２に切り替わり、省エネ電源３５２からバスブリッジ４０４、操作部制御部４０５、表示部９００への電力が開始される。この電源セレクタ４６１の切替制御は、電源制御部４０９によって行う。
【００４０】
ＣＰＵ４０１、ＲＯＭ４０２、ＨＤＤ４０７、デバイス制御部４０８は、メイン電源３５３のみから電力供給される。
スイッチ４６０、電源セレクタ４６１は、電源制御部４０９より制御信号を出力しＦＥＴにて電源を切替える方法を用いてもよいし、他の方法を用いてもよい。
【００４１】
図７は、実施例１の画像形成装置の電源異常を検出する起動処理の一例を示すフローチャートである。
まず、図示しない画像形成装置のメインスイッチがオンされると（Ｓ１０１）、省エネ電源３５２から省エネ電源が投入される（Ｓ１０２）。省エネ電源３５２が正常に供給されると、電源制御部４０９が起動する。以下、Ｓ１０４、Ｓ１０６〜Ｓ１０８は、電源制御部４０９により実行される。なお、電源制御部４０９の処理は、ハードウェアにより実行されるものであっても、電源制御部４０９に備えられたフラッシュメモリに格納されたソフトウェア（プログラム）を電源制御部４０９が読み出して実行することにより実行されるものでもよい。また、Ｓ１０５は、ＣＰＵ４０１がＲＯＭ４０２やＨＤＤ４０７に記録されたプログラムを読み出して実行することにより実行される。
【００４２】
電源制御部４０９は、メイン電源３５３、駆動系電源３５４からの電力供給を行うために、リレー３５５をオンし、メイン電源３５３をＯＮする（Ｓ１０３）。
メイン電源がオンされると、電源制御部４０９は、メイン電源３５３に異常があるか否かを電源異常検出部３５６からの信号により監視する（Ｓ１０４）。
電源異常検出部３５６でメイン電源３５３の異常が検出されていないと判定した場合（Ｓ１０４でＮｏ）、電源制御部４０９はメイン電源３５３からの電力供給を継続するように制御する。そして、ＣＰＵ４０１が画像形成装置の起動処理を行い（Ｓ１０５）、印刷可能状態のスタンバイ状態に移行し、起動を完了する。
【００４３】
一方、電源異常検出部３５６でメイン電源３５３の異常が検出されたと判定した場合（Ｓ１０４でＹｅｓ）、電源制御部４０９は、Ｓ１０６に処理を進める。
Ｓ１０６では、電源制御部４０９は、メイン電源３５３をオフするためリレー３５５をオフする。さらに、電源制御部４０９は、前記リレー３５５をオフすると同時に、省エネ電源３５２からコントローラ制御部４００内に供給される電力を図４に示した電力供給状態から図５に示した電力供給状態に切替えるように制御する（Ｓ１０６）。
【００４４】
次に、電源制御部４０９は、電源セレクタ４６１を操作して、表示部９００の電力供給元を省エネ電源３５２に切替え（Ｓ１０７）、表示部９００にエラー表示を行い（Ｓ１０８）、エラー終了する。なお、Ｓ１０８のエラー表示は、例えば「エラー！メイン電源異常です。サービスマンに連絡して下さい。」等である。
【００４５】
図８は、実施例１の画像形成装置がスタンバイ又は動作中の電源異常を検出する処理の一例を示すフローチャートである。なお、このフローチャートの処理は、電源制御部４０９により実行される。なお、電源制御部４０９の処理は、ハードウェアにより実行されるものであっても、電源制御部４０９に備えられたフラッシュメモリに格納されたソフトウェア（プログラム）を電源制御部４０９が読み出して実行することにより実行されるものでもよい。
【００４６】
画像形成装置がスタンバイ中又は動作中には、電源制御部４０９は、メイン電源３５３に異常があるか否かを電源異常検出部３５６からの信号により監視する（Ｓ２０１）。
電源異常検出部３５６でメイン電源３５３の異常が検出されていないと判定した場合（Ｓ２０１でＮｏ）、電源制御部４０９は監視を継続する。
そして、電源異常検出部３５６でメイン電源３５３の異常が検出されたと判定した場合（Ｓ２０１でＹｅｓ）、電源制御部４０９は、メイン電源３５３をオフするためリレー３５５をオフする。さらに、電源制御部４０９は、前記リレー３５５をオフすると同時に、コントローラ制御部４００内の省エネ電源３５２から供給する電力を図４に示す電力供給状態から図５に示す電力供給状態に切替えるように制御する（Ｓ２０２）。
【００４７】
次に、電源制御部４０９は、電源セレクタ４６１を操作して、表示部９００の電力供給元を省エネ電源３５２に切替え（Ｓ２０３）、表示部９００に図７のＳ１０８と同様のエラー表示を行い（Ｓ２０４）、エラー終了する。
【００４８】
本実施例では、メイン電源３５３に異常が発生した場合、省エネ電源３５２から電力供給されている特定デバイス（ＲＡＭ４０３、外部Ｉ／Ｆ制御部４０６、省電力モード復帰要因検出部４１０）への電力供給を遮断する。そして、表示部９００の電力供給元を省エネ電源３５２に切り替えて省エネ電源３５２から表示部９００へ電力供給を開始する。よって、省エネ電源３５２への負担を抑えた状態で、省エネ電源３５２から表示部９００に電力供給を行うことが可能となる。したがって、メイン電源３５３に異常が発生した場合でもＵＩ（操作部８００の表示部）を使用してエラー表示を行うことが可能な画像形成装置を、サブ電源（省エネ電源３５２）の電力供給能力を変える（大きくする）ことなく実現することができる。
【実施例２】
【００４９】
以下、実施例２での画像形成装置の電源異常時のエラー送信／表示処理について示す。
メイン電源３５３が異常状態になり電力を供給できない、又は、電源を冷却するＦＡＮなどに異常が生じた場合には、コントローラ制御部４００内のＣＰＵ４０１を動作させることができないため、画像形成装置として動作することはできなくなる。
【００５０】
電源制御部４０９は、電源部３５０内の電源異常検出部３５６からメイン電源３５３の異常を検出した旨の通知を受けると、リレー３５５をオフするとともに、コントローラ制御部４００内の省エネ電源３５２から供給される電力を図９に示すように切替える。
【００５１】
図９は、実施例２の画像形成装置のメイン電源３５３が異常状態になった場合のコントローラ制御部４００の電力供給状態を示すブロック図である。
電源制御部４０９は、メイン電源３５３に異常が検出された場合、図９の網掛けした個所には電力供給を行わないように制御する。この場合、電源制御部４０９は、電源制御部４０９、バスブリッジ４０４、操作部制御部４０５、操作部８００の表示部（不図示）、及び、外部Ｉ／Ｆ制御部４０６にのみ電力供給を行うように制御する。なお、操作部８００については、表示部にのみ電力供給を行うのではなく、操作部８００全体に電力供給を行うように構成してもよい。
【００５２】
さらに、メイン電源３５３が異常状態になると、電源制御部４０９は、外部Ｉ／Ｆ制御部４０６から外部Ｉ／Ｆ４５１を介して、例えば、画像形成装置のエラーを監視する装置等の予め設定されている通知先に対して、エラー情報を送信する。さらに、前記エラー情報の送信と同時に、電源制御部４０９は、操作部８００の表示部に、例えば「エラー！メイン電源異常です。エラー情報を送信しました。サービスマンに確認して下さい。」等のエラー表示を行う。なお、上記予め設定されている通知先は、予めユーザやサービスマン等により電源制御部４０９に備えられたフラッシュメモリ等に登録されているサーバやパーソナルコンピュータ（ＰＣ）等のＩＰアドレスや、メールアドレス、ＵＲＬ等とする。
【００５３】
図１０は、実施例２の画像形成装置の電源系統の一例を示す電源系統図である。
省エネ電源３５２から電力を常に供給するのは、電源異常検出部３５６、外部Ｉ／Ｆ制御部４０６、及び、電源制御部４０９である。省電力モードを実現するため、省エネ電源３５２から電力を供給するのは、ＲＡＭ４０３、省電力モード復帰要因検出部４１０であり、これらはスイッチ４６０にて切断又は接続可能に構成されている。このスイッチ４６０の切替制御は、電源制御部４０９によって行う。
【００５４】
バスブリッジ４０４、操作部制御部４０５、操作部８００の表示部は、電源セレクタ４６１により、省エネ電源３５２又はメイン電源３５３を選択できるように構成されている。この電源セレクタ４６１の切替制御は、電源制御部４０９によって行う。
ＣＰＵ４０１、ＲＯＭ４０２、ＨＤＤ４０７、デバイス制御部４０８は、メイン電源３５３のみから電力供給される。
スイッチ４６０、電源セレクタ４６１は、電源制御部４０９より制御信号を出力しＦＥＴにて電源を切替える方法を用いてもよいし、他の方法を用いてもよい。
【００５５】
図９、図１０に示すように、本実施例において、外部Ｉ／Ｆ制御部４０６は、省エネ電源３５２を電力供給元とし、電源異常検出部３５６によりメイン電源３５３の異常が検出された場合にも省エネ電源３５２から電力供給が維持される構成となっている。
【００５６】
図１１は、実施例２の画像形成装置の電源異常を検出する起動処理の一例を示すフローチャートである。
まず、図示しない画像形成装置のメインスイッチがオンされると（Ｓ３０１）、省エネ電源３５２から省エネ電源が投入される（Ｓ３０２）。省エネ電源３５２が正常に供給されると、電源制御部４０９が起動する。以下、Ｓ３０４、Ｓ３０６〜Ｓ３０８は、電源制御部４０９により実行される。なお、電源制御部４０９の処理は、ハードウェアにより実行されるものであっても、電源制御部４０９に備えられたフラッシュメモリに格納されたソフトウェア（プログラム）を電源制御部４０９が読み出して実行することにより実行されるものでもよい。また、Ｓ３０５は、ＣＰＵ４０１がＲＯＭ４０２やＨＤＤ４０７に記録されたプログラムを読み出して実行することにより実行される。
【００５７】
なお、Ｓ３０１〜Ｓ３０５は、図７のＳ１０１〜Ｓ１０５と同一のため説明は省略する。
電源異常検出部３５６でメイン電源３５３の異常が検出されたと判定した場合（Ｓ３０４でＹｅｓ）、電源制御部４０９は、Ｓ３０６に処理を進める。
Ｓ３０６では、電源制御部４０９は、メイン電源３５３をオフするためリレー３５５をオフする。さらに、電源制御部４０９は、前記リレー３５５をオフすると同時に、省エネ電源３５２からコントローラ制御部４００内に供給される電力を図４に示した電力供給状態から図９に示した電力供給状態に切替えるように制御する（Ｓ３０６）。
【００５８】
次に、電源制御部４０９は、電源セレクタ４６１を操作して、操作部８００の表示部の電力供給元を省エネ電源３５２に切替える（Ｓ３０７）。
さらに、電源制御部４０９は、外部Ｉ／Ｆ制御部４０６から外部Ｉ／Ｆ４５１を介してエラー情報を予め登録されている通知先に送信するとともに、操作部８００の表示部にエラー表示を行い（Ｓ３０８）、エラー終了する。なお、Ｓ３０８のエラー表示は、例えば「エラー！メイン電源異常です。エラー情報を送信しました。サービスマンに確認して下さい。」等である。
【００５９】
図１２は、実施例２の画像形成装置がスタンバイ又は動作中の電源異常を検出する処理の一例を示すフローチャートである。なお、このフローチャートの処理は、電源制御部４０９により実行される。なお、電源制御部４０９の処理は、ハードウェアにより実行されるものであっても、電源制御部４０９に備えられたフラッシュメモリに格納されたソフトウェア（プログラム）を電源制御部４０９が読み出して実行することにより実行されるものでもよい。
【００６０】
画像形成装置がスタンバイ中又は動作中には、電源制御部４０９は、メイン電源３５３に異常があるか否かを電源異常検出部３５６からの信号により監視する（Ｓ４０１）。
電源異常検出部３５６でメイン電源３５３の異常が検出されていないと判定した場合（Ｓ４０１でＮｏ）、電源制御部４０９は監視を継続する。
そして、電源異常検出部３５６でメイン電源３５３の異常が検出されたと判定した場合（Ｓ４０１でＹｅｓ）、電源制御部４０９は、メイン電源３５３をオフするためリレー３５５をオフする。さらに、電源制御部４０９は、前記リレー３５５をオフすると同時に、コントローラ制御部４００内の省エネ電源３５２から供給する電力を図４に示す電力供給状態から図９に示す電力供給状態に切替えるように制御する（Ｓ４０２）。
【００６１】
次に、電源制御部４０９は、電源セレクタ４６１を操作して、操作部８００の表示部の電力供給元を省エネ電源３５２に切替える（Ｓ４０３）。
さらに、電源制御部４０９は、外部Ｉ／Ｆ制御部４０６から外部Ｉ／Ｆ４５１を介して予め登録されている通知先にエラー情報を送信するとともに、操作部８００の表示部に図１１のＳ３０８と同様のエラー表示を行い（Ｓ４０４）、エラー終了する。
【００６２】
なお、省エネ電源３５２の電力供給能力が低い場合には、図６の電源系統図のように構成し、電源制御部４０９は、Ｓ４０２の電力供給元切り替え処理より前に、外部Ｉ／Ｆ制御部４０６から外部Ｉ／Ｆ４５１を介してエラーを送信するように構成してもよい。この構成の場合、電源制御部４０９は、エラー情報を送信後、Ｓ４０２に進み、スイッチ４６０を切断すると同時に電源セレクタ４６１を省エネ電源３５２に切替え、バスブリッジ４０４、操作部制御部４０５、表示部９００に電力供給してエラー表示してもよい。
【００６３】
本実施例によれば、メイン電源３５３に異常が発生した場合でも外部Ｉ／Ｆ４５１を使用したエラー通知やＵＩ（操作部８００の表示部）を使用したエラー表示が可能な画像形成装置を、サブ電源（省エネ電源３５２）の電力供給能力を変えることなく実現できる。
【００６４】
なお、上述した各種構成はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００６５】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【産業上の利用可能性】
【００６６】
画像形成装置のみでなく、メイン電源とサブ電源を有し、省電力状態を実現する各種電子機器にも適用できる。
【符号の説明】
【００６７】
３５２    省エネ電源
３５３    メイン電源
３５５    リレー
３５６    電源異常検出部
４００    コントローラ制御部
４０１    ＣＰＵ
４０２    ＲＯＭ
４０３    ＲＡＭ
４０５    操作部制御部
４０９    電源制御部
４６０    スイッチ
４６１    電源セレクタ
８００    操作部
【図１】
0005460457.tif 000002
【図２】
0005460457.tif 000003
【図３】
0005460457.tif 000004
【図４】
0005460457.tif 000005
【図５】
0005460457.tif 000006
【図６】
0005460457.tif 000007
【図７】
0005460457.tif 000008
【図８】
0005460457.tif 000009
【図９】
0005460457.tif 000010
【図１０】
0005460457.tif 000011
【図１１】
0005460457.tif 000012
【図１２】
0005460457.tif 000013